(57)【特許請求の範囲】
【請求項１】
被写体に光を照射し、前記被写体を透過した光を検出して前記被写体を撮影する撮影システムにおいて、
光源部、
該光源部から出射した光を検出するセンサ部、
開口を有する遮光板を前記光源部及び前記センサ部の間に配置し前記光を出射させて、前記センサ部の検出面のうち前記開口に対応する領域である開口対応領域で検出された第１の参照データと、前記遮光板を配置せず前記光を出射させて前記開口対応領域で検出された第２の参照データとの差異に基づいて求められた第１の補正データを記憶する記憶部、および
前記第１の補正データに基づいて、前記被写体を用いた測定により得られた測定データに、環境光の影響を取り除く第１の補正を行う信号処理部を備える撮影システム。
【請求項２】
前記記憶部は、前記被写体の設置台の分割領域に対応して複数の前記第１の補正データを記憶しているものであり、
前記信号処理部は、各前記分割領域で得られた前記測定データ毎に前記第１の補正を行うものである請求項１に記載の撮影システム。
【請求項３】
前記記憶部は、前記光の照射場所に応じた光量分布を補正する第２の補正データをさらに記憶しているものであり、
前記信号処理部は、前記第１の補正の前に、前記測定データに、前記第２の補正データに基づいて前記光量分布の影響を取り除く第２の補正を行うものである請求項１又は２に記載の撮影システム。
【請求項４】
前記遮光板をさらに備える請求項１から３いずれか１項に記載の撮影システム。
【請求項５】
前記遮光板が複数の開口を有する請求項４に記載の撮影システム。
【請求項６】
前記光源部は、前記検出面の向きに対して横向きに前記光を出射させる光源と、該光源から出射した前記光を前記センサ部に向けて反射および拡散させる反射拡散板と、該反射拡散板および前記センサ部の間に配置された透過拡散板とを有する請求項１から５いずれか１項に記載の撮影システム。
【請求項７】
前記光源部は、前記検出面に向けて前記光を出射させる光源と、該光源および前記センサ部の間に配置された透過拡散板とを有する請求項１から５いずれか１項に記載の撮影システム。
【請求項８】
前記光源は紫外光光源であり、
前記光源部は、前記光源および前記透過拡散板の間に、紫外光を可視光に変換する変換板を有する請求項７に記載の撮影システム。
【請求項９】
前記信号処理部は、前記第１の補正後の測定データに基づいて、前記被写体の光学濃度を算出するものである請求項１から８いずれか１項に記載の撮影システム。
【請求項１０】
前記光源部は、波長の異なる３種類以上の前記光を出射させるものであり、
前記信号処理部は、各前記光を用いて得られた測定データを組み合わせて、前記被写体の色データまたはカラー画像を生成するものである請求項１から９いずれか１項に記載の撮影システム。
【請求項１１】
被写体に光を照射し、前記被写体を透過した光を検出して前記被写体を撮影する撮影方法において、
開口を有する遮光板を光源部及びセンサ部の間に配置し前記光源部から前記光を出射させて、前記センサ部の検出面のうち前記開口に対応する領域である開口対応領域で検出された第１の参照データと、前記遮光板を配置せず前記光を出射させて前記開口対応領域で検出された第２の参照データとの差異に基づいて求められた第１の補正データに基づいて、前記被写体を用いた測定により得られた測定データに、環境光の影響を取り除く第１の補正を行う撮影方法。
【請求項１２】
前記第１の補正データを求める工程を含む請求項１１に記載の撮影方法。
【請求項１３】
前記第１の補正データは、前記被写体の設置台の分割領域に対応して複数求められ、
前記第１の補正は、各前記分割領域で得られた前記測定データ毎に行われる請求項１２に記載の撮影方法。
【請求項１４】
前記第１および第２の参照データを取得するとき、既知の光学濃度を有する半遮光板が、前記開口対応領域に対応する位置に配置される請求項１２又は１３に記載の撮影方法。
【請求項１５】
前記光の照射場所に応じた光量分布を補正する第２の補正データに基づいて前記光量分布の影響を取り除く第２の補正を前記測定データに行い、
前記第２の補正後の前記測定データに前記第１の補正を行う請求項１１から１４いずれか１項に記載の撮影方法。
【請求項１６】
被写体に光を照射し、前記被写体を透過した光を検出して前記被写体を撮影する撮影システムにおいて、
光源部、
該光源部から出射した光を検出するセンサ部、
該センサ部の検出面の一部を遮光する遮光板を前記光源部及び前記センサ部の間に配置し前記光を出射させて、前記検出面のうち前記遮光板に対応する領域である遮光対応領域で検出された参照データを第１の補正データとして記憶する記憶部、および
前記第１の補正データに基づいて、前記被写体を用いた測定により得られた測定データに、環境光の影響を取り除く第１の補正を行う信号処理部を備える撮影システム。
【請求項１７】
前記記憶部は、前記被写体の設置台の分割領域に対応して複数の前記第１の補正データを記憶しているものであり、
前記信号処理部は、各前記分割領域で得られた前記測定データ毎に前記第１の補正を行うものである請求項１６に記載の撮影システム。
【請求項１８】
被写体に光を照射し、前記被写体を透過した光を検出して前記被写体を撮影する撮影方法において、
センサ部の検出面の一部を遮光する遮光板を光源部及び前記センサ部の間に配置し前記光源部から前記光を出射させて、前記検出面のうち前記遮光板に対応する領域である遮光対応領域で検出された参照データである第１の補正データに基づいて、前記被写体を用いた測定により得られた測定データに、環境光の影響を取り除く第１の補正を行う撮影方法。
【請求項１９】
前記第１の補正データを求める工程を含む請求項１８に記載の撮影方法。
【請求項２０】
前記第１の補正データは、前記被写体の設置台の分割領域に対応して複数求められ、
前記第１の補正は、各前記分割領域で得られた前記測定データ毎に行われる請求項１９に記載の撮影方法。
【発明の詳細な説明】
【技術分野】
【０００１】
本発明は、フィルム等の透過原稿又は濃淡を有する試料を撮影する撮影システム及び撮影方法に関するものである。
【背景技術】
【０００２】
透過光源を用いてフィルム等の透過原稿を読み取る原稿読取装置が知られている。また、同様な機能を有する装置として、濃淡を有する試料（例えば電気泳動ゲル）を撮影する撮影システムがある。このような撮影システムは、生体分子、特にタンパク質や核酸の識別及び定量を画像解析によって行うに際し、欠かせないものとなっている。
【０００３】
従来、このような透過光源を用いた撮影システムでは、照明光の拡散や装置内での乱反射等によって生じる環境光の問題がある。例えば特許文献１では、撮像素子（ＣＣＤ）の一部を遮光板で覆い、その覆われた領域の画素（補正用画素）で検出された信号値を、撮影用画素で検出された信号値から減算することで、漏光の影響を測定データから取り除く補正方法が開示されている。
【先行技術文献】
【特許文献】
【０００４】
【特許文献１】特開平９−４４６３６号公報
【発明の概要】
【発明が解決しようとする課題】
【０００５】
しかしながら、特許文献１の方法では、撮像素子の一部の画素を補正用画素として使用するため、撮影用画素数が減少し、撮像素子上の撮影領域が縮小してしまうという問題がある。
【０００６】
本発明は上記問題に鑑みてなされたものであり、透過光源を用いた撮影システムにおいて、撮像素子上の撮影領域を縮小させることなく、環境光の影響を抑えることを可能とする撮影システム及び撮影方法を提供することを目的とするものである。
【課題を解決するための手段】
【０００７】
上記課題を解決するために、本発明の第１の撮影システムは、
被写体に光を照射し、被写体を透過した光を検出して被写体を撮影する撮影システムにおいて、
光源部、
光源部から出射した光を検出するセンサ部、
開口を有する遮光板を光源部及びセンサ部の間に配置し光を出射させて、センサ部の検出面のうち開口に対応する領域である開口対応領域で検出された第１の参照データと、遮光板を配置せず光を出射させて開口対応領域で検出された第２の参照データとの差異に基づいて求められた第１の補正データを記憶する記憶部、および
第１の補正データに基づいて、被写体を用いた測定により得られた測定データに、環境光の影響を取り除く第１の補正を行う信号処理部を備えるものである。
【０００８】
一方、本発明の第２の撮影システムは、
被写体に光を照射し、被写体を透過した光を検出して被写体を撮影する撮影システムにおいて、
光源部、
光源部から出射した光を検出するセンサ部、
センサ部の検出面の一部を遮光する遮光板を光源部及びセンサ部の間に配置し光を出射させて、検出面のうち遮光板に対応する領域である遮光対応領域で検出された第３の参照データを第１の補正データとして記憶する記憶部、および
第１の補正データに基づいて、被写体を用いた測定により得られた測定データに、環境光の影響を取り除く第１の補正を行う信号処理部を備えるものである。
【０００９】
本発明の撮影システムにおいて、記憶部は、被写体の設置台の分割領域に対応して複数の第１の補正データを記憶しているものであり、
信号処理部は、各分割領域で得られた測定データ毎に第１の補正を行うものであることが好ましい。
【００１０】
また、本発明の撮影システムにおいて、記憶部は、光の照射場所に応じた光量分布を補正する第２の補正データをさらに記憶しているものであり、
信号処理部は、第１の補正の前に、測定データに、第２の補正データに基づいて上記光量分布の影響を取り除く第２の補正を行うものであることが好ましい。
【００１１】
また、本発明の第１の撮影システムは遮光板をさらに備えることが好ましい。この場合において、遮光板は複数の開口を有していてもよい。
【００１２】
また、本発明の撮影システムにおいて、光源部は、検出面の向きに対して横向きに光を出射させる光源と、光源から出射した光をセンサ部に向けて反射および拡散させる反射拡散板と、反射拡散板およびセンサ部の間に配置された透過拡散板とを有することが好ましい。
【００１３】
また、本発明の撮影システムにおいて、光源部は、検出面に向けて光を出射させる光源と、光源およびセンサ部の間に配置された透過拡散板とを有することが好ましい。この場合、光源は紫外光光源であり、光源部は、光源および透過拡散板の間に、紫外光を可視光に変換する変換板を有することが好ましい。
【００１４】
また、本発明の撮影システムにおいて、信号処理部は、第１の補正後の測定データに基づいて、被写体の光学濃度を算出することができる。
【００１５】
また、本発明の撮影システムにおいて、光源部は、波長の異なる３種類以上の光を出射させるものであり、
信号処理部は、各光を用いて得られた測定データを組み合わせて被写体の色データ又はカラー画像を生成するものであることが好ましい。
【００１６】
本発明の第１の撮影方法は、
被写体に光を照射し、被写体を透過した光を検出して写体を撮影する撮影方法において、
開口を有する遮光板を光源部及びセンサ部の間に配置し光源部から光を出射させて、センサ部の検出面のうち開口に対応する領域である開口対応領域で検出された第１の参照データと、遮光板を配置せず光を出射させて開口対応領域で検出された第２の参照データとの差異に基づいて求められた第１の補正データに基づいて、被写体を用いた測定により得られた測定データに、環境光の影響を取り除く第１の補正を行うものである。
【００１７】
一方、本発明の第２の撮影方法は、
被写体に光を照射し、被写体を透過した光を検出して被写体を撮影する撮影方法において、
センサ部の検出面の一部を遮光する遮光板を光源部及びセンサ部の間に配置し光源部から光を出射させて、検出面のうち遮光板に対応する領域である遮光対応領域で検出された第３の参照データである第１の補正データに基づいて、被写体を用いた測定により得られた測定データに、環境光の影響を取り除く第１の補正を行うものである。
【００１８】
そして、本発明の撮影方法は、第１の補正データを求める工程を含むことが好ましい。この場合において、第１の補正データは、被写体の設置台の分割領域に対応して複数求められ、第１の補正は、各分割領域で得られた測定データ毎に行われることが好ましい。
【００１９】
また、本発明の第１の撮影方法において、第１および第２の参照データを取得するとき、既知の光学濃度を有する半遮光板が、開口対応領域に対応する位置に配置されることが好ましい。
【００２０】
また、本発明の撮影方法において、光の照射場所に応じた光量分布を補正する第２の補正データに基づいて上記光量分布の影響を取り除く第２の補正を測定データに行い、
第２の補正後の測定データに第１の補正を行うことが好ましい。
【発明の効果】
【００２１】
本発明の撮影システム及び撮影方法は、被写体の撮影前に求められた補正データに基づいて、測定データに対し、環境光の影響を取り除く補正を行うから、撮像素子の一部の画素を補正用画素として使用する必要がない。この結果、透過光源を用いた撮影システムにおいて、撮像素子上の撮影領域を縮小させることなく、環境光の影響を抑えることが可能となる。
【図面の簡単な説明】
【００２２】
【図１】第１の実施形態の撮影システムを示す概略斜視図である。
【図２】第１の実施形態の撮影装置の内部構成を示す概略断面図である。
【図３】第１の実施形態の撮影システムを示す概略ブロック図である。
【図４】第１及び第２の参照データを取得する様子を示す概略図である。
【図５】環境光の影響により試料の光学濃度が実際の値よりも低く見積もられた結果を示すグラフである。
【図６】補正の場所依存性を示すグラフである。
【図７】遮光板の構成例を示す概略図である。
【図８】第３の参照データを取得する様子を示す概略図である。
【図９】光源の変形例を示す概略断面図である。
【発明を実施するための形態】
【００２３】
以下、本発明の実施形態について図面を用いて説明するが、本発明はこれに限られるものではない。なお、視認しやすくするため、図面中の各構成要素の縮尺等は実際のものとは適宜異ならせてある。
【００２４】
「第１の実施形態」
本発明の撮影システム及び撮影方法の第１の実施形態について説明する。図１は第１の実施形態の撮影システムを示す概略斜視図であり、図２は第１の実施形態の撮影装置の内部構成を示す概略断面図であり、図３は第１の実施形態の撮影システムを示す概略ブロック図である。
【００２５】
本実施形態の撮影システム１は、図１及び図２に示されるように、撮影装置１０及び撮影制御装置１００から構成される。撮影装置１０は、例えば、蓋１４を有する筐体１２、被写体Ｓを設置するステージ１６、撮影部２０、レンズ部２２、透過光源部２６及び被写体観察用モニタ５０を有する。一方、撮影制御装置１００は、例えばパーソナルコンピュータであり、制御装置本体１０２、操作部１０４及び表示部１０６を備えている。撮影装置１０は、撮影制御装置１００に制御され被写体Ｓを撮影して、取得した信号情報を撮影制御装置１００に送り、撮影制御装置１００がその信号情報を画像データに変換して、記憶部に記憶し又は表示部１０６に表示することになる。撮影システム１は、例えば透過原稿の読取や試料の光学濃度の測定に使用される。撮影システム１は、必要に応じて後述する遮光板や落射光源部を備えていてもよい。
【００２６】
筐体１２は、略直方体に形成された中空部１８を有するものであって、内部に被写体Ｓが設置されるステージ１６を有している。また、筐体１２には図１に示す蓋１４が開閉可能に取り付けられており、ユーザは、蓋１４を開けステージ１６上に被写体Ｓを設置した後、蓋１４を閉めることで、筐体１２内に被写体Ｓを収容することができる。筐体１２は中空部１８内に外光が入らない暗箱を構成している。ステージ１６は、透過光源部２６からの光を透過させるため透光性を有する。
【００２７】
撮影部２０は、筐体１２の上面に固定されており、例えばＣＣＤ等の撮像素子を含み、筺体１２内の光を検出して電気信号を生成する。生成された電気信号は、例えば増幅処理を経た後、信号処理部１０８に送信される。撮影部２０が本発明におけるセンサ部に相当する。撮影部２０は、冷却素子が取り付けられており、撮像素子を冷却することにより、撮影された信号情報に暗電流によるノイズ成分が含まれることを防止している。撮影部２０にはレンズ部２２が取り付けられている。
【００２８】
レンズ部２２は、例えば複数のレンズを含み、被写体Ｓにフォーカスを合わせるために、レンズは矢印Ｚ方向に移動可能に設けられている。またレンズ部２２は、例えば絞り及び励起光カットフィルタ等の光学素子も含み、検出する光の光量や波長を調整する。
【００２９】
透過光源部２６は、例えば蛍光撮影用の励起光源（紫外光光源）、及び白色光源を有し、撮影制御装置１００の制御により必要に応じて光源を切り替えられるように構成されている。すなわち、本実施形態では、撮影システム１は蛍光撮影にも対応可能な構成である。例えば、蛍光標識された被写体からの蛍光を検出する撮影を行う場合には、透過光源部２６から励起光が被写体Ｓへ照射され、被写体を透過した透過光を検出する撮影を行う場合には、透過光源部２６から白色光が被写体Ｓへ照射される。
【００３０】
被写体観察用モニタ５０は、筺体１２の上部に設けられた小型カメラ（図示省略）で撮影したステージ１６上の様子を表示するものである。これにより、ステージ１６上に設置された被写体Ｓの位置やステージ１６の高さを確認し、被写体Ｓが撮影に適した配置になるように被写体の位置やステージの高さを調整することが可能である。
【００３１】
制御装置本体１０２は、例えば信号処理部１０８、記憶部１１０及び制御部１１２を有する。信号処理部１０８は、撮影部２０で生成された電気信号に基づいて画像データを生成し、またその画像データに必要な信号処理（例えばノイズ除去処理やシャープネス処理等）を行う。記憶部１１０は、撮影に必要な情報を記憶している。特に、本発明では、記憶部１１０は、測定データの補正に使用する補正データを記憶している。補正データの詳細については後述する。制御部１１２は、例えばＣＰＵ及びＲＯＭ等を含むコンピュータで構成される。制御部１１２には、撮影部２０、透過光源部２６、信号処理部１０８、記憶部１１０、操作部１０４及び表示部１０６が接続されており、制御部１１２は各部を統括制御している。
【００３２】
表示部１０６は、例えばＣＲＴや液晶ディスプレイ等の表示装置で構成され、信号処理部１０８で生成された画像データを表示する。また、表示部１０６は、撮影装置１０に各種の設定を行ったり指示を与えたりするための設定画面も表示する。
【００３３】
操作部１０４は、マウスやキーボード等のユーザインターフェースを含んで構成される。ユーザは、操作部１０４を操作して、撮影装置１０に各種の設定を行ったり指示を与えたりする。例えば、ユーザは、この操作部１０４を介して被写体の種類及び撮影手法の種類等の撮影に関する情報を撮影システムに設定する。入力された情報は、例えば記憶部１１０に記憶される。
【００３４】
記憶部１１０に記憶されている補正データについて説明する。補正データは２種類あり、１つは、環境光の影響を測定データから取り除く第１の補正（環境光除去補正）に使用する補正データ（第１の補正データ）であり、もう１つは、照明光の照射場所に応じた光量分布の影響を取り除く第２の補正（フラットフレーム補正）に使用する補正データ（第２の補正データ）である。
【００３５】
第１の補正データは、例えば、検出信号中に含まれている環境光由来の信号量、或いは環境光由来の信号がどの程度含まれているかを表すデータである。このような補正データは、例えば以下のようにして得られる。まず、図４に示されるように、被写体を置かず、開口を有する遮光板３０（例えば図７のａ）をステージ１６上に配置する。この遮光板３０は、開口部分を除いてステージ１６全体を覆うことができる大きさであり、この状態で透過光源部２６からの照明光（白色光）Ｌ１をステージ１６に当てると、開口からのみ光が通過するため、この光Ｌ２を撮影部２０の開口に対応する画素領域（言い換えれば、開口を通過した光Ｌ２が検出される領域。以下、開口対応領域２０ａという。）で検出する（図４のａ）。このとき、開口対応領域では、開口を通過した光Ｌ２のみの信号（第１の参照データ）が検出される。なお、図４ではレンズ部２２の図示は省略している。次に、遮光板３０を取り除き、遮光板３０がない状態で照明光Ｌ１を当て、この時の信号（第２の参照データ）を検出する（図４のｂ）。この第２の参照データの中には、先ほど開口があった領域を通過した光Ｌ２の信号の他に、遮光板３０によって覆われていた領域を通過した光Ｌ３（環境光）に由来する信号も含まれる。なお、第１及び第２の参照データを取得する際には、既知の光学濃度を有する半遮光部材（例えば光学濃度３．０程度の遮光フィルム）を開口位置に配置することが好ましい。何も配置しないと、開口を通過した光Ｌ２の強度が強すぎて、環境光の影響を抽出しにくいためである。
【００３６】
したがって、第１及び第２の参照データの信号強度をそれぞれＩ１及びＩ２とすると、第１の補正データの値をＩ２−Ｉ１とすれば、同じ照明光量で被写体を撮影して得られた測定データに含まれている環境光由来の信号量が得られる。また、第１の補正データの値を（Ｉ２−Ｉ１）／Ｉ２とすれば、被写体を撮影して得られた測定データ中の環境光由来の信号量の割合が得られる。例えば、被写体の撮影（本撮影）時の検出信号値がＩである場合に、第１の補正データＩａがＩａ＝Ｉ２−Ｉ１で与えられれば、環境光の影響を取り除いた実際の信号値ＩｒはＩｒ＝Ｉ−Ｉａで算出でき、第１の補正データＲａがＲａ＝（Ｉ２−Ｉ１）／Ｉ２で与えられれば、環境光の影響を取り除いた実際の信号値ＩｒはＩｒ＝Ｉ（１−Ｒａ）で算出できる。参照データ又は第１の補正データとしては、例えば、開口対応領域に属する画素群で平均した値を採用してもよいし、そのような画素群内での最頻値を採用してもよい。
【００３７】
実際、単純に透過してきた光以外の光（すなわち拡散光や乱反射光等の環境光）が撮像部２０によって検出されることにより、信号値が本来の値よりも多く見積もられてしまい誤差が生じてしまう。例えば図５は、上記のような誤差により試料の光学濃度が実際の値よりも低く見積もられた結果を示すグラフである。このグラフの横軸は基準フィルムの光学濃度であり、縦軸は条件を変えた測定ごとの実際の信号値である。「遮光板あり」のグラフは、フィルムの周囲を遮光板で覆い環境光の影響を極力排除した場合であり、「遮光板なし」のグラフは、そのような遮光板を使用せず、環境光の影響が大きい場合である。このグラフから光学濃度が高いほど環境光の影響が大きいことがわかる。
【００３８】
第１の補正データについて、撮像素子のある領域（或いはある画素）で取得した値を他の領域（或いは他の画素）で使用することも可能である。しかしながら、環境光の影響の大きさはステージ１６上で場所依存性を有するため、ステージ１６上がいくつかの領域に分割され、記憶部１１０は、この分割領域毎に第１の補正データを有していることが好ましい。例えば、図６は補正の場所依存性を示すグラフである。より具体的には、このグラフは、ステージ１６の中央付近の領域に関して算出された第１の補正データによって、その領域及び前後左右の他の４つの領域で検出された信号値を補正した結果を示している。グラフ中、Ａは補正データを算出した中央領域の補正結果、Ｂ〜Ｅはそれぞれ、その左側領域、右側領域、後方領域及び前方領域の補正結果を示す。このグラフから、補正データを算出した中央領域では適切に補正できているが、他の領域では光学濃度が高いほど値が高く見積もられていること（過補正）が分かる。これは、中央領域以外の４つの領域では筺体１２の壁が近くにあり、中央領域ほど環境光の影響が大きくないためであると推察される。以上のように、環境光の影響の大きさはステージ１６上で場所依存性を有するため、環境光除去補正は、それぞれの分割領域で算出された第１の補正データを用いて、分割領域ごとに行うことが好ましい。
【００３９】
第１の参照データを取得する際に使用する遮光板は、環境光除去補正を行う領域に対応して開口を有する遮光性のある部材であれば特に限定されない。開口の大きさ及び形状は、数十ｍｍ×数十ｍｍ（一辺の長さは例えば１０〜３０ｍｍ）の矩形状或いは直径数十ｍｍ（例えば１０〜３０ｍｍ）の円形状が目安であるが、撮影条件や必要に応じて上記範囲から変更してもよい。例えば、図７は遮光板の構成例を示す概略図である。図７のａの遮光板３０は、ステージ１６を覆う大きさで、長方形の開口３０ａを有する。また、図７のｂの遮光板３１は、ステージ１６を覆う大きさで、円形の開口３１ａを基板の中央からずれた位置に有する。例えば、遮光板３１を９０°、１８０°及び２７０°回転させてそれぞれの撮影で参照データを取得すれば、ステージ１６上を４分割したことになり、各分割領域に対応した４個の第１の参照データ（つまり第１の補正データも４個）を取得できる。また、図７のｃの遮光板３２は、ステージ１６を覆う大きさで、５個の円形の開口３２ａ（遮光板３２の中央に１個及びその頂点ごとに１個ずつ）を有する。このように互いが環境光に影響を与えない程度に開口同士が離れていれば、１個の遮光板に複数の開口を設けることができる。このような遮光板を使用すれば、１回の撮影で分割領域３２ｂ〜３２ｆのそれぞれに対応した５個の第１の参照データ（つまり第１の補正データも５個）を取得できる。
【００４０】
第２の補正データは、例えば、照明光の光強度がステージ１６上でどのような分布を有しているかを表すフラットフレームである。このフラットフレームを用いて、第１及び第２の参照データ、第１の補正データ又は本撮影の測定データを除算することにより、フラットフレーム補正が可能である。このようなフットフレームとしては、ステージ１６上に何も設置しない状態で撮影した画像データを採用できる。
【００４１】
次に、本実施形態の撮影方法の手順を説明する。まず、ユーザは、撮影条件や被写体の種類等に適当な補正データがあるかを確認する。適当な補正データがある場合にはその補正データを使用し、それがない場合には自ら補正データを作成する作業から始める。
【００４２】
補正データを作成する場合には、まず、ステージ１６上に何も配置しない状態で、透過光源部２６を点灯し、照明光を当てて撮影し、画像データとして照明光自体の光強度Ｉ０を取得しておく。この画像データは、後に光学濃度を算出する際に使用し、フラットフレームとしても使用できる。その後、例えば遮光板３０をステージ上に配置し、遮光板３０の開口に合わせて遮光フィルタを配置した状態で、照明光を当てて第１の参照データＩ１を取得する。この際、第１の参照データにフラットフレーム補正を行っておく。次に、遮光板３０を外し、遮光フィルムの位置はそのままに維持した状態で、照明光を当てて第２の参照データＩ２を取得し、同様に第２の参照データについてもフラットフレーム補正を行う。そして、Ｉａ＝Ｉ２−Ｉ１を第１の補正データとして記憶部１１０に記憶する。
【００４３】
次に本撮影に移る。ユーザは、被写体をステージ１６上に配置し、照明光を当てて測定データＩを取得し、同様に測定データについてもフラットフレーム補正を行う。そして、Ｉ−Ｉａから環境光除去補正後の測定データＩｒを得る。さらに、光学濃度Ｄは、Ｄ＝−ｌｏｇ（Ｉｒ／Ｉ０）によって得られる。
【００４４】
以上のように、本実施形態の撮影システム及び撮影方法は、被写体の撮影前に求められた補正データに基づいて、測定データに対し、環境光の影響を取り除く補正を行うから、撮像素子の一部の画素を補正用画素として使用する必要がない。この結果、透過光源を用いた撮影システムにおいて、撮像素子上の撮影領域を縮小させることなく、環境光の影響を抑えることが可能となる。
【００４５】
「第２の実施形態」
次に、第２の実施形態について説明する。第１の実施形態の撮影システム及び撮影方法では、第１の補正データを作成する領域に遮光板の開口を配置した。一方、本実施形態の撮影システム及び撮影方法は、主に第１の補正データを作成する領域に遮光板を配置する点で、第１の実施形態の場合と異なる。したがって、第１の実施形態と同様の構成要素の詳細な説明については、特に必要がない限り省略する。
【００４６】
本実施形態の撮影システムは、第１の実施形態と同様に、撮影装置１０及び撮影制御装置１００から構成される。
【００４７】
記憶部１１０は、第１の実施形態と同様に、第１の補正データと第２の補正データを有する。ただし、本実施形態の第１の補正データは、下記の手順により作成されたものである。図８に示されるように、被写体を置かず、遮光板３３をステージ１６上に配置する。この遮光板３３は、第１の補正データを作成するステージ１６上の領域を覆うことができる大きさであり、この状態で透過光源部２６からの照明光Ｌ１をステージ１６に当てると、遮光板３３の周囲からの光Ｌ３が、遮光板３３に対応する画素領域（遮光対応領域２０ｂ）で検出される。この光Ｌ３は、遮光対応領域内の画素にしてみれば、環境光そのものであるから、この光Ｌ３の信号強度Ｉ３は第１の補正データとして採用できる。
【００４８】
本実施形態の撮影方法の第１の補正データを作成した後の手順は、第１の実施形態と同様である。
【００４９】
以上のように、本実施形態の撮影システム及び撮影方法も、被写体の撮影前に求められた補正データに基づいて、測定データに対し、環境光の影響を取り除く補正を行うから、第１の実施形態と同様の効果を奏する。
【００５０】
＜その他の実施形態＞
本発明の撮影システムでは、例えば図９に示される透過光源部２７を使用することも可能である。透過光源部２７は、紫外光透過光源３５、反射拡散板３６、２つの白色ＬＥＤ光源部４０及び白色透過拡散板３７を備える。
【００５１】
紫外光透過光源３５は蛍光観察時の励起光源用であり、特に限定されず市販の光源を使用することができる。反射拡散板３６は、紫外光透過光源３５の上面にガイド３６ａで固定されている。反射拡散板３６は、紫外光を透過させ、白色光を反射する。反射拡散板３６の撮影部側の表面は、粗面処理されており、その表面をほぼ平行に伝搬するＬＥＤ光源部４０からの光を反射及び拡散する。
【００５２】
ＬＥＤ光源部４０は、ライトスリーブ４１、白色ＬＥＤ４２、スリーブカバー４３及び遮光部材４４から構成され、白色ＬＥＤ４２の光軸が反射拡散板３６の表面とほぼ平行となるように、反射拡散板３６の両端に配置されている。白色ＬＥＤ４２は、左右それぞれ例えば３個ずつあり、図９の紙面に垂直な方向に等間隔（例えば１１０ｍｍ）で配置されている。スリーブカバー４３は、紫外光透過光源点灯時の自家蛍光を抑える点と、耐薬品性を考慮し、ガラス材料であることが好ましい。スリーブカバー４３の材料は、例えばパイレックス（登録商標）やＢ２７０等の汎用白板ガラスである。遮光部材４４は、上方に向かう光を遮光し、被写体に直接光が照射されることを防止する。ＬＥＤ光源の遮光部材４４の存在を考慮した照射角度θは１５°程度が好ましい。
【００５３】
白色透過拡散板３７は、ＬＥＤ光源から光Ｌが伝搬する空間を確保するために、反射拡散板３６から離れて設置されている。ＬＥＤ光源から光Ｌは、反射拡散板３６及び白色透過拡散板３７の間隙（例えば２０ｍｍ）を伝搬しながら反射及び拡散を繰り返し、照明光として使用される。耐薬品性及び洗浄のし易さを考慮し、例えば白色の塩化ビニル板であることが好ましく、その表面はマット仕上げされていることが好ましい。
【００５４】
このような構成の透過光源部２７を使用することにより、蛍光観察用の励起光と白色光を適宜切り替えて照明光として使用することができる。
【００５５】
さらに、波長切替可能な光源としては、例えば透過光源部２６の構成に加えて、紫外光光源とステージ１６の間に、紫外光を可視光に変換可能な変換板を設けた光源部を採用することができる。上記変換板を可動な構成して、必要な時に変換板を紫外光光源とステージ１６の間に入れれば、紫外光と可視光を切り替えることができる。
【００５６】
また、本発明の撮影システムでは、光源部は、波長の異なる３種類以上の光（例えばＲ、Ｇ及びＢ）を出射させるものであることが好ましい。これにより、各光を用いて得られた測定データを組み合わせて、被写体の色データまたはカラー画像を生成することができる。例えば、前述した透過光源部２７において、白色ＬＥＤ４２に代えて、Ｒ、Ｇ及びＢのＬＥＤを使用すればよい。また、この場合、モノクロ画像とカラー画像を同時に又は切り替えて表示部１０６に表示することが好ましい。
【符号の説明】
【００５７】
１     撮影システム
１０   撮影装置
１２   筐体
１４   蓋
１６   ステージ
１８   中空部
２０   撮影部
２２   レンズ部
２６、２７    透過光源部
３０、３１、３２、３３       遮光板
３５   紫外光透過光源
３６   反射拡散板
３７   白色透過拡散板
４０   ＬＥＤ光源部
５０   被写体観察用モニタ
１００ 撮影制御装置
１０２ 制御装置本体
１０４ 操作部
１０６ 表示部
１０８ 信号処理部
１１０ 記憶部
１１２ 制御部
Ｓ     被写体
【図１】
0006019052.tif 000002
【図２】
0006019052.tif 000003
【図３】
0006019052.tif 000004
【図４】
0006019052.tif 000005
【図５】
0006019052.tif 000006
【図６】
0006019052.tif 000007
【図７】
0006019052.tif 000008
【図８】
0006019052.tif 000009
【図９】
0006019052.tif 000010